(57)【要約】【課題】ファインダ装置とストロボ装置をカメラに組み付ける際の組み立て性を向上させること。【解決手段】変倍のために光軸方向に移動するレンズ群を有するファインダ装置と、照射角変更のために一部が光軸方向に移動する移動部を有するストロボ装置と、前記レンズ群と係合する第１のカム部、前記移動部と係合する第２のカム部とが形成されたカム板部材と、地板と、を具備したカメラの組み込み方法において、前記カム板部材が地板に摺動可能に組み付け可能であり、前記カム板部材の第１の位置で前記レンズ群と前記第１のカム部との係合を行い、前記第１の位置から摺動した第２の位置で前記移動部と前記第２のカム部との係合を行って、前記ファインダ装置と前記ストロボ装置を組み込んだこと。【選択図】　　　図１
2004054020.tif 000002
【特許請求の範囲】
【請求項１】
第１の移動部材と第２の移動部材と、それらを連動して動かす連動部材と、これを組み付ける組み付け部材とを具備するカメラにおいて、前記連動部材が前記組み付け部材に組み付け可能であり、第１の移動部材と連動部材の係合を行う第１の位置と、前記連動部材が組み付け部材に摺動可能な係合状態であり、第２の移動部材と連動部材の係合を行う第２の位置とを有することを特徴とするカメラ。
【請求項２】
変倍のために光軸方向に移動するレンズ群を有するファインダ装置と、照射角変更のために一部が光軸方向に移動する移動部を有するストロボ装置と、前記レンズ群と係合する第１のカム部、前記移動部と係合する第２のカム部とが形成されたカム板部材と、前記ファインダ装置と前記ストロボ装置と前記カム板部材とを組み付ける地板と、を具備し、前記地板に対して前記ファインダ装置と前記ストロボ装置を組み込むカメラの組み込み方法において、前記カム板部材が地板に摺動可能に組み付け可能であり、前記カム板部材の第１の位置で前記レンズ群と前記第１のカム部との係合を行い、前記第１の位置から摺動した第２の位置で前記移動部と前記第２のカム部との係合を行って、前記ファインダ装置と前記ストロボ装置を組み込んだことを特徴とするカメラの組み込み方法。
【請求項３】
前記カム板部材の前記第１と第２の位置での各前記カム部の延長上に、前記レンズ群を変倍のために光軸方向に移動させるための変倍カムと、前記移動部を照射角変更のために光軸方向に移動させるカムとが形成させされており、前記レンズ群と前記移動部とは、各々前記変倍カムとカムとを摺動することを特徴とする請求項２のカメラの組み込み方法。
【発明の詳細な説明】
【０００１】
【発明の属する技術分野】
本発明は、ファインダとストロボ等を備えるカメラに関するものである。
【０００２】
【従来の技術】
従来、光軸方向に移動するレンズ群をもつファインダ装置と光軸方向に移動するストロボ装置と、それらを連動して動かすカム板部材と、これを組み付ける地板とを具備するカメラにおいては、ファインダ装置のファインダレンズ群の位置やストロボ装置の位置、カム板部材の位置等の組込み位置を調整しながら組み込むといった作業をおこなっていた。
【０００３】
カメラのファインダ装置とストロボ装置部の組み立て構成は種々提案されており、例えば特開平０９−２３０４３９号公報では以下のように示している。
【０００４】
概要は、光軸方向に移動可能に支持された可動変倍レンズを、ズーム撮影レンズに連動して駆動されるカム部材によって、予め定めた位置に移動させるズームファインダ装置において、カム部材に基準位置を設定してこの基準位置に溝または突起を設け、このカム部材を、この溝または突起と係合する保持部材により、基準位置に保持するようにしたことを特徴としている。
【０００５】
また、カム部材の形態を問わず適用できるが、例えば、回転駆動される円筒カム部材に適用できる。この円筒カム部材の周方向の一部に基準位置を定めるクリック溝を形成し、保持部材を、このクリック溝に入る方向に移動付勢する。この保持部材は、別部材として設けることができるが、ズームストロボ装置の照射角変更部材を利用することができる。すなわち光軸方向に可動に支持されている照射角変更部材の一部により、保持部材を構成する。
【０００６】
また、ズーム撮影レンズは、ズーム撮影区間と、該ズーム撮影区間と収納位置との移行区間を有し、カム部材は、このズーム撮影区間に対応して可動変倍レンズを移動させるズーム区間と、移行区間に対応する可動変倍レンズを移動させない移行区間を有する。基準位置は、このカム部材の移行区間の一部に設けることが好ましい。
【０００７】
【発明が解決しようとする課題】
しかしながら従来装置は、前記ファインダ装置のファインダレンズ群やストロボ装置、カム板部材の連動性を確保しながら容易に組み込める組込み構成を備えていなかった。そのため為カメラのファインダ装置のファインダレンズ群の位置やストロボ装置の位置、カム板部材の位置等の組込み位置を調整しながら組み込むといった作業の際には、組込み位置調整の煩わしさや組込み位置調整時にカム板部材の落下・外れ等といったような現象が発生しており、非常に組み立てにくく効率が悪かった。本発明はこのような事情に鑑みてなされたもので、組み立て性が向上し、容易に組込みができるカメラ、あるいはカメラの組み込み方法を提供することを目的とする。
【０００８】
【課題を解決するための手段】
本発明は、前記目的を達成するために、請求項１では第１の移動部材（対物レンズ５、６、７）と第２の移動部材（ストロボ６２）と、それらを連動して動かす連動部材（カム板５４）と、これを組み付ける組み付け部材とを具備するカメラにおいて、前記連動部材が前記組み付け部材に組み付け可能であり、第１の移動部材と連動部材の係合を行う第１の位置と、前記連動部材が組み付け部材に摺動可能な係合状態であり、第２の移動部材と連動部材の係合を行う第２の位置とを有することにより、前記連動部材が落下することなく第２の組込み位置まで移動可能となり、第２の移動部材及び、第一の移動部材、連動部材の組込みの簡易化をはかり工程での低コスト化を図ってる。
【０００９】
請求項２では、変倍のために光軸方向に移動するレンズ群（５、６、７）を有するファインダ装置（６２）と、照射角変更のために一部が光軸方向に移動する移動部を有するストロボ装置と、前記レンズ群と係合する第１のカム部、前記移動部と係合する第２のカム部とが形成されたカム板部材（５４）と、前記ファインダ装置と前記ストロボ装置と前記カム板部材とを組み付ける地板と、を具備し、前記地板に対して前記ファインダ装置と前記ストロボ装置を組み込むカメラの組み込み方法において、前記カム板部材が地板に摺動可能に組み付け可能であり、前記カム板部材の第１の位置で前記レンズ群と前記第１のカム部との係合を行い、前記第１の位置から摺動した第２の位置で前記移動部と前記第２のカム部との係合を行って、前記ファインダ装置と前記ストロボ装置を組み込んだことによって、前記カム板部材が落下することなくストロボ装置の組込み位置まで移動可能となり、ストロボ装置及び、ファインダレンズ群を有するファインダ装置、連動部材の組込みの簡易化をはかり工程での低コスト化を図っている。
【００１０】
【発明の実施の形態】
図９はカメラの斜視図である。６０はカメラ本体、１はファインダ装置であり、５は被写体を確認するための対物レンズ窓、５３は被写体までの距離や被写体周辺の明るさを測定するＡＥ／ＡＦ装置である。６２は被写体を照らすためのストロボ装置。６３はレリーズボタン。６１は被写体を写しこむ撮影レンズとなっている。
【００１１】
図１０は図９のカメラの一部に露出しているファインダ装置の斜視図である。１はファインダ装置、５は対物レンズ、５３はＡＥ／ＡＦ装置であり、各機能については以下に説明する。
【００１２】
図１１はファインダ装置の分解斜視図である。１はファインダ装置であり、撮影被写体を確認するための各レンズ群、被写体までの距離や被写体周辺の明るさを測定するＡＥ／ＡＦ装置、撮影者が自らの視度を調節するための視度調節機構等の各部品で構成されている。５３は被写体までの距離や被写体周辺の明るさを測定するＡＥ／ＡＦ装置である。５４はカム板で平板にカム溝がきってあり、ファインダズーム駆動はカム板５４により、不図示の撮影レンズ機構と連動して動作する。以下それに関わる機構を簡単に説明していく。
【００１３】
５，６，７，８はそれぞれ対物レンズであり、９はプリズム、９ａはプリズムカバー、５０はダハプリズム、５１は接眼レンズとなっており、被写体側からの被写体光を対物レンズ５を通して、対物レンズ６、対物レンズ７、対物レンズ８を通り、プリズム９、ダハプリズム５０を介して被写体光を屈折反射させ接眼レンズ５１まで導く。６ａは対物レンズ６を固定する為の対物レンズホルダー、７ａは対物レンズ７に組み込まれる有害な光線を遮断するマスク、８ａは対物レンズ８に組み込まれる有害な光線を遮断するマスクである。４は対物レンズ６を固定した対物レンズホルダー６ａと対物レンズ７と対物レンズ８を光軸方向へガイドする為のガイド部材である。７ｂはスプリングバネとなっており、スプリングバネ７ｂは対物レンズ６と対物レンズ７との間に入り込むように構成され、対物レンズホルダー６ａと対物レンズ７同士を常に引き離す方向に付勢している。スプリングバネ８ｂも対物レンズ８と対物レンズ７との間に入り込むように構成され、対物レンズ８と対物レンズ７同士を常に引き離す方向に付勢している。
【００１４】
対物レンズホルダー６ａ、対物レンズ７、対物レンズ８には、それぞれピン６ｂ、ピン７ｃ、ピン８ｃが構成されており、平板カム５４に設けた各カム溝に嵌合する。カム板５４の５４ａ、５４ｂ、５４ｃのカム溝には対物レンズ各ピン６ｂ、７ｃ、８ｃがそれぞれ入り込む。５４ｅ、５４ｈのカム溝には、不図示の２つの凸部に入り込みカム板５４をガイドしている。また、ファインダ装置１に備わる１ｚは、対物レンズ各ピン６ｂ、７ｃ、８ｃの反対側に設けられた対物レンズの各ピン６ｄ、７ｄ、８ｄを直進的にガイドする為のカム溝である。このように光軸方軸方向に移動するレンズは、対物レンズ各ピン６ｂ、６ｄ、７ｃ、７ｄ、８ｃ、８ｄの計６本でガイドされている。
【００１５】
１ｂはファインダ装置１の一部を構成しているファインダベースであり、ダハプリズム５０や接眼レンズ５１、視度調整ノブ５２や視度調整ノブＳＰ５２ａで構成されている。視度調整ノブ５２のカム溝５２ｂに沿って接眼レンズ５１のガイド部材５１ａが動作すると、接眼レンズ５１が光軸方向へ移動する構成となっている。視度調整ノブ５２は、ファインダベース１ｂと不図示のリアカバーに挟まれて可動範囲を規制されている。ファインダベース１ｂにはクリック溝が設けられており、波ワッシャー５２ａによって軸方向へ力が加えられ、回転時フリクションを得る。
【００１６】
図１２は、図９のカメラの一部に露出しているストロボ装置の斜視図であり、図１０の様にファインダ装置１に破線矢印部に組み込まれ、図１０のカム板５４のカム溝５４ｄにストロボホルダー６２ｄに設けた不図示のガイドピンが入り込み、カム板の動きに連動する様になっている。
【００１７】
図１３はストロボ装置の分解斜視図である。６２はストロボ装置、６２ｄはストロボ装置を形成するストロボホルダー、６２ｂは光を発するキセノン管、６２ｃはキセノン管６２ｂより発射された光を反射させる反射板、６２ｅはキセノン管６２ｂと反射板６２ｃをストロボホルダー６２ｄに固定する為のゴム部材、６２ａはキセノン管、反射板からの光を集光・拡散させ、被写体に照射させる為の光学部材である。
【００１８】
次に本実施例のファインダ装置の組込み構成に関して具体的に記していく。
【００１９】
図１はファインダ装置の下面図であり、カム板が組み込まれる前の状態を示しており、既に対物レンズが組み込まれている図である。
【００２０】
５４はカム板であり、５４ｃは対物レンズ８のピン８ｃに入り込むカム溝、５４ｂは対物レンズ７のピン７ｃに入り込むカム溝、５４ａは対物レンズホルダー６ａのピン６ｂに入り込むカム溝である（破線矢印参照）。対物レンズ６と７は、スプリングバネ７ｂによって付勢され、対物レンズ７と８は、スプリングバネ８ｂに付勢された状態でカム板５４が組み込まれる。このとき対物レンズ６、７、８はスプリングバネ７ｂ、８ｂに付勢固定されている為、容易にカム板５４を組み込む事が可能である。カム板５４の組込み後、カム板５４の矢印方向の移動量に応じて対物レンズ６、７、８が連動してズーム駆動される。
【００２１】
５４ｄは図１上では不図示のストロボ装置のガイドピンが入り込むカム溝となっており、カム板５４組込み後、カム板５４の矢印方向の移動量に応じて不図示のストロボ装置を駆動する。５４ｈ、５４ｅはファイダ装置１の凸部１ｆ、１ｃ入り込むカム板５４をガイドする為のカム溝であり、５４ｈはファイダ装置１の凸部１ｆに、５４ｅはファイダ装置１の凸部１ｃにそれぞれ入り込むカム溝となっている（破線矢印参照）。５４ｇ、５４ｆはカム板５４の係合凹部であり、ファインダ装置１の１ｄ、１ｅの係合凸部にそれぞれ係合し、カム板５４が矢印方向に移動する際にカム板５４が落下しないようになっている。図４、図５、図６では、カム板５４が落下しない様表現している。
【００２２】
図２はファインダ装置にカム板が組み込まれた状態（第一の組込み位置）の下面図で、１はファインダ装置、５４はカム板である。図２では図１で図示説明した各カム溝５４ａ、５４ｂ、５４ｃ、５４ｄ、５４ｈ、５４ｅに、対物レンズ各ピン６ｂ、７ｃ、８ｃとファインダ装置凸部１ｆ、１ｃがそれぞれ入り込んでいる状態で、カム板５４の係合凹部５４ｇ、５４ｆがファインダ装置１の係合凸部１ｄ、１ｅにそれぞれ係合し、カム板５４を矢印方向に移動させるとカム板５４が落下しないようになっている。ここでのカム板５４の第１の組み込み位置は、カメラの撮影領域以外（ワイド撮影位置からテレ撮影位置）で、図示していない撮影レンズ機構の撮影レンズ待機位置を基準にして、撮影領域以外位置とは異なる方向に設定してある。
【００２３】
図２で示す状態では、カム板５４は落下してしまう状態であるが、図４、図５、図６ではカム板５４が落下しないストロボ組み込み位置（第２の組み込み位置）で状態を示している。５４ｉは、撮影レンズ機構のカムピンが入り込むカム溝であり、撮影レンズ機構と連動してカム板５４が動作する。
【００２４】
図３は図２のファインダ装置にカム板が組み込まれた状態の上面図で、１はファインダ装置、５４はカム板である。ファインダ装置１の１ｚは対物レンズ各ピン６ｂ、７ｃ、８ｃの反対側に設けられた対物レンズの各ピン６ｄ、７ｄ、８ｄをガイドする為のカム溝である。５４ｊと１ｇはストロボ装置組込み位置（第二の組込み位置）の目印となる凹部であり、図３では図１で図示説明した各カム溝５４ａ、５４ｂ、５４ｃ、５４ｄ、５４ｈ、５４ｅに、対物レンズ各ピン６ｂ、７ｃ、８ｃとファインダ装置１の凸部１ｆ、１ｃがそれぞれ入り込んでいる。そして、カム板５４の係合凹部５４ｇ、５４ｆがファインダ装置１の係合凸部１ｄ、１ｅにそれぞれ係合し、カム板５４が矢印方向に移動する際にカム板５４が落下しないようになっている。
【００２５】
このときカム板５４とファインダ装置１の互いの目印５４ｊと１ｇを合わせるとストロボ装置組込み位置（第二の組込み位置）となり、カム板５４が落下しない状態となる。図３の状態ではカム板５４は落下してしまう状態であるが、図４、図５、図６ではカム板５４が落下しない。
【００２６】
図４はファインダ装置の上面図であり、ストロボ装置が組み込まれる前の状態を示している。ファインダ装置１の１ｚは対物レンズ各ピン６ｂ、７ｃ、８ｃの反対側に設けられた対物レンズの各ピン６ｄ、７ｄ、８ｄをガイドする為のカム溝、１はファインダ装置、６２はストロボ装置であり、カム板５４の目印５４ｊとファインダ装置１の目印１ｇが互いに一致するようにカム板５４を矢印方向に移動させる。するとストロボ装置組込み位置（第二の組込み位置）となり、カム板５４の係合凹部５４ｇ、５４ｆがファインダ装置１の係合凸部１ｄ、１ｅの一部分に重なり引っ掛かる為、カム板５４が落下せず、容易にストロボ装置の組込みが可能となる。
【００２７】
６２ｈ、６２ｉ、６２ｊ、６２ｋはストロボ装置６２に設けられているガイド部であり、ファインダ装置１の１ｈ、１ｉ、１ｊ、１ｋのガイド凹部にそれぞれ組み込まれる（破線矢印参照）。６２ｆはストロボ装置６２に設けられているガイドピンでカム板５４のカム溝５４ｄに入り込み（破線矢印参照）、カム板５４の矢印方向の移動量に応じてストロボ装置６２が駆動する。
【００２８】
ファインダ装置１の１ｚは対物レンズ各ピン６ｂ、７ｃ、８ｃの反対側に設けられた対物レンズの各ピン６ｄ、７ｄ、８ｄをガイドする為のカム溝であり、カム板５４の矢印方向の移動量に応じて対物レンズ６、７、８をズーム駆動する。
【００２９】
図５はファインダ装置にストロボ装置が組み込まれた状態の下面図で、１はファインダ装置、６２はストロボ装置である。図４同様にストロボ装置６２に設けられているガイド部６２ｉ、６２ｊがファインダ装置１の１ｉ、１ｊのガイド凹部にそれぞれ組み込まれており、カム板５４の係合凹部５４ｆがファインダ装置１の係合凸部１ｅの一部分に重なり引っ掛かる為、カム板５４が落下しない状態となる。ファインダ装置１の１ｚは対物レンズ各ピン６ｂ、７ｃ、８ｃの反対側に設けられた対物レンズの各ピン６ｄ、７ｄ、８ｄをガイドする為のカム溝であり、カム板５４の矢印方向の移動量に応じて対物レンズ６、７、８がズーム駆動される。
【００３０】
図６はファインダ装置にストロボ装置を組込む位置（第二の組込み位置）の下面図で、１はファインダ装置、５４はカム板である。図６では図４で図示説明した各カム溝５４ａ、５４ｂ、５４ｃ、５４ｄ、５４ｈ、５４ｅに、対物レンズ各ピン６ｂ、７ｃ、８ｃとファインダ装置１の凸部１ｆ、１ｃがそれぞれ入り込んでおり、カム板５４の係合凹部５４ｇ、５４ｆがファインダ装置１の係合凸部１ｄ、１ｅの一部分に重なり引っ掛かる為、カム板５４が落下しない状態となる。５４ｉは不図示の撮影レンズ機構のカムピンが入り込むカム溝であり、撮影レンズ機構と連動してカム板５４が矢印方向に動作する。
【００３１】
図７、図８はファインダ装置に各対物レンズとストロボ装置が組み込まれ、不図示の撮影レンズ機構よりストロボ装置組込み位置（第二の組込み位置）から、撮影領域位置に各対物レンズとストロボ装置が動かされた図を示している。図７は上面図、図８は下面図とそれぞれなっている。図７では図４で図示説明した各カム溝５４ａ、５４ｂ、５４ｃ、５４ｄ、５４ｈ、５４ｅに、対物レンズ各ピン６ｂ、７ｃ、８ｃとファインダ装置１の凸部１ｆ、１ｃがそれぞれ入り込んでおり、カム板５４が撮影領域の矢印方向の位置に移動した場合、カム板５４の係合凹部５４ｇ、５４ｆがファインダ装置１の係合凸部１ｄ、１ｅに全て重なっている。５４ｉは不図示の撮影レンズ機構のカムピンが入り込むカム溝であり、撮影レンズ機構と連動してカム板５４が動作する。
【００３２】
図８で１はファインダ装置、６２はストロボ装置である。図４で図示説明した各カム溝５４ａ、５４ｂ、５４ｃ、５４ｄ、５４ｈ、５４ｅに、対物レンズ各ピン６ｂ、７ｃ、８ｃとファインダ装置１の凸部１ｆ、１ｃがそれぞれ入り込んでおり、カム板５４が撮影領域の矢印方向の位置に移動した場合（破線矢印参照）、カム板５４の係合凹部５４ｇ、５４ｆがファインダ装置１の係合凸部１ｄ、１ｅに全て重なっている。ファインダ装置１の１ｚは対物レンズ各ピン６ｂ、７ｃ、８ｃの反対側に設けられた対物レンズの各ピン６ｄ、７ｄ、８ｄをガイドする為のカム溝であり、カム板５４の矢印方向の位置に応じて対物レンズ６、７、８をズーム駆動している。また、この時対物レンズ６、７、８のズーム駆動と同時にストロボ装置６２も駆動している。図７、図８共にここではカム板５４は撮影領域位置に移動している為、当然カム板５４は外れない位置である。
【００３３】
以上のような簡単な構成にする事で、容易にファインダ装置のカム板やストロボ装置の組み込みが可能となり、工程での組み立て性が向上し、コストダウンにつながる。
【００３４】
【発明の効果】
以上説明したように本発明に係るカメラのファインダ装置によれば、請求項１では第１の移動部材と第２の移動部材と、それらを連動して動かす連動部材と、これを組み付ける組み付け部材とを具備するカメラにおいて、前記連動部材が前記組み付け部材に組み付け可能であり、第１の移動部材と連動部材の係合を行う第１の位置と、前記連動部材が組み付け部材に摺動可能な係合状態であり、第２の移動部材と連動部材の係合を行う第２の位置とを有することで、前記連動部材が落下することなく第２の組込み位置まで移動可能となり、第２の移動部材及び、第一の移動部材、連動部材の組込みの簡易化をはかり工程での低コスト化が可能となった。
【００３５】
請求項２では、変倍のために光軸方向に移動するレンズ群を有するファインダ装置と、照射角変更のために一部が光軸方向に移動する移動部を有するストロボ装置と、前記レンズ群と係合する第１のカム部、前記移動部と係合する第２のカム部とが形成されたカム板部材と、前記ファインダ装置と前記ストロボ装置と前記カム板部材とを組み付ける地板と、を具備し、前記地板に対して前記ファインダ装置とを組み込むカメラの組み込み方法において、前記カム板部材が地板に摺動可能に組み付け可能であり、前記カム板部材の第１の位置で前記レンズ群と前記第１のカム部との係合を行い、前記第１の位置から摺動した第２の位置で前記移動部と前記第２のカム部との係合を行って、前記ファインダ装置と前記ストロボ装置を組み込んだことことによって、前記カム板部材が落下することなくストロボ装置の組込み位置まで移動可能となり、ストロボ装置及び、ファインダレンズ群を有するファインダ装置、連動部材の組込みの簡易化をはかり工程での低コスト化が可能となった。
【図面の簡単な説明】
【図１】ファインダ装置のカム板組込み前下面図。
【図２】ファインダ装置のカム板組込み（第一の組込み位置）後下面図。
【図３】ファインダ装置のカム板組込み（第一の組込み位置）後上面図。
【図４】ファインダ装置のストロボ装置組込み前下面図。
【図５】ファインダ装置のストロボ装置組込み（第二の組込み位置）後下面図。
【図６】ファインダ装置のストロボ装置組込み（第二の組込み位置）後上面図。
【図７】ファインダ装置のストロボ装置組込み位置（第二の組込み位置）よりカム板が撮影領域位置に移動した時の下面図。
【図８】ファインダ装置のストロボ装置組込み位置（第二の組込み位置）よりカム板が撮影領域位置に移動した時の上面図。
【図９】カメラの斜視図。
【図１０】ファインダ装置の斜視図。
【図１１】ファインダ装置の分解斜視図。
【図１２】ストロボ装置の斜視図。
【図１３】ストロボ装置の分解斜視図。
【符号の説明】
１　ファインダ装置
４　対物レンズガイド部材
６、７、８　対物レンズ
９　プリズム
５０　ダハプリズム
５１　接眼レンズ
５２　視度調整ノブ
５４　カム板
６２　ストロボ装置
【図１】
2004054020.tif 000003
【図２】
2004054020.tif 000004
【図３】
2004054020.tif 000005
【図４】
2004054020.tif 000006
【図５】
2004054020.tif 000007
【図６】
2004054020.tif 000008
【図７】
2004054020.tif 000009
【図８】
2004054020.tif 000010
【図９】
2004054020.tif 000011
【図１０】
2004054020.tif 000012
【図１１】
2004054020.tif 000013
【図１２】
2004054020.tif 000014
【図１３】
2004054020.tif 000015